(57)【要約】【課題】監視制御システムのデータ伝送システムをＬＡＮで構成した場合でも装置の異常発生を早く検知できるようにする。【解決手段】対応する監視制御対象１４ａ，１４ｂ，・・・１４ｎと監視制御情報を通信する通信制御装置１３ａ，１３ｂ，・・・１３ｎと、前記通信制御装置が接続するＬＡＮポート１１５ａ，１１５ｂ，・・・１１５ｍ，１１５ｎを有し、前記ＬＡＮポートと前記通信制御装置との間のリンク情報の異常を検知するＬＡＮスイッチ装置１１と、前記ＬＡＮスイッチ装置の前記ＬＡＮポートに接続され、前記ＬＡＮスイッチ装置が検知した前記リンク情報の異常検知情報が通知される監視制御コントローラ１２とを備えた監視制御局。【選択図】図１
2008211578.tif 000002
【特許請求の範囲】
【請求項１】
対応する監視制御対象と監視制御情報を通信する通信制御装置と、
前記通信制御装置が接続するＬＡＮポートを有し、前記ＬＡＮポートと前記通信制御装置との間のリンク情報の異常を検知するＬＡＮスイッチ装置と、
前記ＬＡＮスイッチ装置のＬＡＮポートに接続され、前記ＬＡＮスイッチ装置が検知した前記リンク情報の異常検知情報が通知される監視制御コントローラとを備えた監視制御局。
【請求項２】
請求項１に記載の監視制御局において、
前記ＬＡＮスイッチ装置は、ＬＡＮポート番号と前記ＬＡＮポートに接続された前記通信制御装置のＭＡＣアドレスとを対応付けるアドレステーブルを有し、前記アドレステーブルを参照して異常を検出した前記ＬＡＮポートに接続する前記通信制御装置のＭＡＣアドレスを前記異常検知情報に付加することを特徴とする監視制御局。
【請求項３】
請求項２に記載の監視制御局において、
前記監視制御コントローラは、前記通信制御装置のＭＡＣアドレスとＩＰアドレスとを対応付けるＡＲＰテーブルを有することを特徴とする監視制御局。
【請求項４】
請求項１〜請求項３の何れか一に記載の監視制御局において、
前記ＬＡＮスイッチ装置は、前記異常検知情報を通知する運用モードと、前記異常検知情報を通知しない保守モードとを切替えて動作することを特徴とする監視制御局。
【請求項５】
請求項１〜請求項４の何れか一に記載の監視制御局において、
前記ＬＡＮスイッチ装置は、前記ＬＡＮポートと前記監視制御コントローラとの間のリンク情報の異常を検知して、前記通信制御装置に異常検知情報を通知し、
前記異常検知情報を通知された前記通信制御装置は、対応する監視制御対象に対する制御処理を停止し、予め定められた状態で待機することを特徴とする監視制御局。
【請求項６】
請求項１〜請求項５の何れか一に記載の監視制御局において、
前記監視制御コントローラは、前記ＬＡＮスイッチ装置と前記監視制御コントローラとの間のリンク情報の異常を検知することを特徴とする監視制御局。
【請求項７】
請求項１〜請求項６の何れか一に記載の監視制御局において、
前記通信制御装置は、前記ＬＡＮスイッチ装置と前記通信制御装置との間のリンク情報の異常を検知し、異常を検知した場合は、対応する監視制御対象に対する制御処理を停止し、予め定められた状態で待機することを特徴とする監視制御局。
【請求項８】
請求項１〜請求項７の何れか一に記載の監視制御局と、
前記監視制御局とＩＰネットワークを介して接続される監視制御サーバとを備えた監視制御システム。
【請求項９】
対応する監視制御対象と監視制御情報を通信する通信制御装置とＬＡＮスイッチ装置を介してＬＡＮ接続する監視制御コントローラであって、
前記ＬＡＮスイッチ装置との間のリンク情報の異常を検知することを特徴とする監視制御コントローラ。
【請求項１０】
対応する監視制御対象と監視制御情報を通信し、監視制御を行う監視制御コントローラとＬＡＮスイッチ装置を介してＬＡＮ接続する通信制御装置であって、
前記ＬＡＮスイッチ装置との間のリンク情報の異常を検知し、異常を検知した場合は、対応する監視制御対象に対する制御処理を停止し、予め定められた状態で待機することを特徴とする通信制御装置。
【請求項１１】
複数のＬＡＮポートを備え、
前記ＬＡＮポートに接続された装置との間のリンク情報の異常を検知し、何れかの前記ＬＡＮポートで異常を検知した場合に異常検知情報を所定の前記ＬＡＮポートに接続された装置に通知することを特徴とするＬＡＮスイッチ装置。
【請求項１２】
請求項１１に記載のＬＡＮスイッチ装置において、
前記ＬＡＮポートに接続された装置のＭＡＣアドレスと前記ＬＡＮポートのＬＡＮポート番号とを対応付けるアドレステーブルを備え、
前記アドレステーブルを参照して異常を検出した前記ＬＡＮポートに接続する装置のＭＡＣアドレスを前記異常検知情報に付加することを特徴とするＬＡＮスイッチ装置。
【発明の詳細な説明】
【技術分野】
【０００１】
この発明は、対応する監視制御対象と監視制御情報を通信する複数の通信制御装置とこれら各通信制御装置に対応するＬＡＮポートを有するＬＡＮスイッチ装置と、前記複数の通信制御装置と前記ＬＡＮスイッチ装置を介してＬＡＮ接続された監視制御コントローラとを備えた観測局、監視制御システム、観測局の監視制御コントローラ、観測局の通信制御装置、観測局のＬＡＮスイッチ装置に関するものである。
【背景技術】
【０００２】
監視制御システムにおいては、監視制御を行うためのデータ伝送を、従来一般的にはアナログ回線を用いてＣＤＴ（Ｃｙｃｌｉｃ  Ｄａｔａ  Ｔｒａｎｓｍｉｓｓｉｏｎ）やＨＤＬＣ（Ｈｉｇｈ−ｌｅｖｅｌ  Ｄａｔａ  Ｌｉｎｋ  Ｃｏｎｔｒｏｌ）などの通信方式により実現してきた。
これに対し最近ではＩＰ（Ｉｎｔｅｒｎｅｔ  Ｐｒｏｔｏｃｏｌ）に対応した装置が普及してきたので、監視制御システムにおいてもデータ伝送方式のＩＰ化が進められている。例えば、特許文献１では、水力発電所の制御装置として、二次調整装置、励磁制御装置、調速機制御装置、他の各装置をＬＡＮ（Ｌｏｃａｌ  Ａｒｅａ  Ｎｅｔｗｏｒｋ）で接続する構成が示されている。この特許文献１の例では各装置はトランシーバでＬＡＮに接続されているが、最近のＬＡＮはＬＡＮスイッチやルータなど、高機能・高性能な中継装置により構成されることが多い。
【０００３】
【特許文献１】特開平９−３０５２０６号公報（図１及びその説明）
【発明の開示】
【発明が解決しようとする課題】
【０００４】
アナログ回線で適用していた監視対象の既設装置をＩＰネットワークに収容した監視制御システムの構成例を図１２に示す。当該監視制御システムでは、図示のように、複数の観測局１ａ，１ｂ，・・・１ｎが監視局２にＩＰネットワーク４を介して接続されている。
なお、図１２は、特許文献１におけるトランシーバに代えて、最近の一般的なＬＡＮにおけるＬＡＮスイッチやルータなど、高機能・高性能な中継装置を適用した事例を示す図である。
【０００５】
前記観測局１ａは、図示のように、ＬＡＮスイッチ１１、監視制御コントローラ１２、複数の通信制御装置１３ａ，１３ｂ，・・・１３ｎ、監視制御対象である複数の既設装置（前記二次調整装置、励磁制御装置、調速機制御装置、他の各装置）１４ａ，１４ｂ，・・・１４ｎ、複数のアナログ回線１５ａ，１５ｂ，・・・１５ｎ、およびルータ３を備えている。
【０００６】
前記観測局１ａ，１ｂ，・・・１ｎもその内部構成は前記観測局１ａと同じ構成であるが、図示省略してある。
【０００７】
前記監視局２は、図示のように、監視制御サーバ２１およびルータ３で構成されている。
【０００８】
前記各観測局１ａ，１ｂ，・・・１ｎ、および前記監視局２は、前記ルータ３を介して前記ＩＰネットワーク４に接続される。
前記監視局２の前記監視制御サーバ２１は、前記複数の観測局１ａ，１ｂ，・・・１ｎと１：Ｎ通信を行うことにより前記各観測局１ａ，１ｂ，・・・１ｎの監視対象データを収集して前記各観測局１ａ，１ｂ，・・・１ｎの監視出力を行い、必要に応じて制御出力を行う。
【０００９】
前記監視制御対象である既設装置１４ａ，１４ｂ，・・・１４ｎは、前記アナログ回線１５ａ，１５ｂ，・・・１５ｎを経由して、前記ＣＤＴやＨＤＬＣなどの通信手順により前記通信制御装置１３ａ，１３ｂ，・・・１３ｎと接続され前記既設装置１４ａ，１４ｂ，・・・１４ｎ、より前記通信制御装置１３ａ，１３ｂ，・・・１３ｎ間でデータ伝送が行われる。
前記通信制御装置１３ａ，１３ｂ，・・・１３ｎと前記監視制御コントローラ１２とはＬＡＮスイッチ１１でＬＡＮ接続される。
【００１０】
前記既設装置１４ａ，１４ｂ，・・・１４ｎで取り込んだ状態情報等のデータはこれらの接続構成により前記監視制御コントローラ１２に配信され、前記監視制御コントローラ１２で加工処理されたデータが前記ルータ３から前記ＩＰネットワーク４経由で前記監視制御サーバ２１にルータ３を介して集められる。
また、前記既設装置１４ａ，１４ｂ，・・・１４ｎの制御が必要な場合は、前記監視制御サーバ２１から制御指示出力を前記監視制御コントローラ１２に送信し、前記監視制御コントローラ１２から該当する前記通信制御装置１３ａ，１３ｂ，・・・１３ｎを経由して該当する前記既設装置１４ａ，１４ｂ，・・・１４ｎまで前記制御指示出力が到達する。該当する前記既設装置１４ａ，１４ｂ，・・・１４ｎでは前記制御指示出力に応じた処理を行う。
【００１１】
システムを構成する装置が故障した場合、できるだけ早く復旧処置をとるために故障が発生したことを監視制御サーバで確認できるようにする必要がある。そこで、次のような手法により、２装置間で互いの装置が正常動作しているか監視するためのＬＡＮ通信を行う。
通常のデータ伝送の手順とは別に監視用パケットを定周期で送受信する（以下この通信をヘルスチェックと呼ぶ）。一定時間内に応答がなければ相手装置に異常が発生しているものと見なして、対応する異常処理を行う。
【００１２】
前記ヘルスチェックの周期を短くしすぎると、ＬＡＮへの通信負荷が増大するだけでなく、装置の処理負荷も上がりシステム性能に支障をきたすことになる。そこでヘルスチェックの周期はある程度長い周期に設定する必要があり、数十秒から１分程度の周期に設定される。一方でヘルスチェック周期を長くとることは、監視対象装置の異常発生から異常を検知するまでの所要時間が長くなることを意味し、リアルタイム処理を要求される監視制御システムでは問題となる。このように、従来のＬＡＮ通信によるヘルスチェックの手法では、装置異常を検知するまでに時間を要するため、監視制御システムに従来のＬＡＮ通信によるヘルスチェックの手法を適用する場合より装置異常を検知するまでの時間を短くする手法を実現することが好ましいという課題があった。
【００１３】
また、監視制御システムでは、オンライン中に保守作業を行う場合に監視制御対象装置の回線を切断したり装置電源を切ったりする場合があり、その場合は、前述のような監視制御対象装置を監視する監視機能が動作していることにより不必要に異常発生・復旧の通知を行うという課題が生じる。
【００１４】
また、図１２に示すような監視制御システムにおいて、監視制御コントローラやＬＡＮスイッチが故障した場合には、監視局と観測局の間の通信が不可能となる。監視局からリモート制御処理を実行中に通信不可となった場合、ヘルスチェックにて異常検出するまでの間は制御不能のまま動作継続することになるので、通信制御装置にて一刻も早く異常を検知し、自動的に制御を中止し安全な状態に回復させる必要があるという課題も生じる。
【００１５】
この発明は上記のような課題を解決するためになされたものであり、観測局のデータ伝送システムをＬＡＮで構成した場合でもＬＡＮ通信の異常発生を早く検知できるようにすることを目的とするものである。
【課題を解決するための手段】
【００１６】
この発明に係る観測局は、対応する監視制御対象と監視制御情報を通信する通信制御装置と、前記通信制御装置が接続するＬＡＮポートを有し、前記ＬＡＮポートと前記通信制御装置との間のリンク情報の異常を検知するＬＡＮスイッチ装置と、前記ＬＡＮスイッチ装置のＬＡＮポートに接続され、前記ＬＡＮスイッチ装置が検知した前記リンク情報の異常検知情報が通知される監視制御コントローラとを備えたものである。
【発明の効果】
【００１７】
この発明は、対応する監視制御対象と監視制御情報を通信する通信制御装置と、前記通信制御装置が接続するＬＡＮポートを有し、前記ＬＡＮポートと前記通信制御装置との間のリンク情報の異常を検知するＬＡＮスイッチ装置と、前記ＬＡＮスイッチ装置のＬＡＮポートに接続され、前記ＬＡＮスイッチ装置が検知した前記リンク情報の異常検知情報が通知される監視制御コントローラとを備えているので、装置の異常発生を早く検知できる効果がある。
【発明を実施するための最良の形態】
【００１８】
実施の形態１．
以下この発明の実施の形態１を図１〜図３により説明する。図１は監視制御システムおよびそのＬＡＮスイッチ装置の内部構成を例示する図、図２はＬＡＮスイッチ装置の内部動作、特にＬＡＮのリンク状態監視の定周期起動処理をフローチャートで例示する図、図３は監視制御システムにおける各装置間の動作シーケンスの事例を示す図である。
【００１９】
先ず、本発明の実施の形態１におけるＬＡＮスイッチ装置１１の構成およびＬＡＮスイッチ装置１１の各部の機能を図１に基づいて説明する。なお、ＬＡＮスイッチ装置１１以外は、前述の図１２と同じであるのでその構成および機能の説明は割愛する。
【００２０】
ＬＡＮスイッチ装置１１は、図１に例示のように、マイクロプロセッサ１１１、不揮発性メモリ１１２、揮発性メモリ１１３、スイッチコントローラ１１４、複数個のＬＡＮポート１１５ａ，１１５ｂ，・・・１１５ｍ，１１５ｎ、およびディップスイッチ１１６を備えている。
【００２１】
前記マイクロプロセッサ１１１は、ＬＡＮスイッチ装置１１内に（或いはＬＡＮスイッチ装置１１に付属して）設けられ、前記不揮発性メモリ１１２、前記揮発性メモリ１１３、前記スイッチコントローラ１１４と内部バス１１７で接続されている。また、このマイクロプロセッサ１１１は、自ＬＡＮスイッチ装置用のＬＡＮ通信機能を保持し、自ＬＡＮスイッチ装置のＩＰアドレス、ＭＡＣアドレスを前記不揮発性メモリ１１２に保持している。
【００２２】
前記不揮発性メモリ１１２は、前記マイクロプロセッサ１１１用のプログラムや各種設定を記録するものである。また不揮発性メモリ１１２に保持するプログラムには、ネットワークプロトコルの機能を有しているため、外部装置とＬＡＮ通信が可能である。さらに不揮発性メモリ１１２には、異常検知時に通知するための通知先ＩＰアドレスを予め設定し保存しておく。
【００２３】
前記スイッチコントローラ１１４は、ＬＡＮスイッチ装置１１の主要機能を有するものである。また、このスイッチコントローラ１１４は、前記ＬＡＮポート１１５ｂ，・・・１１５ｍ，１１５ｎの夫々について該ＬＡＮポート１１５ｂ，・・・１１５ｍ，１１５ｎと対応装置１４ａ，・・・１４ｎの通信制御装置１３ａ，・・・１３ｎとが電気的に接続されているかどうかのリンク状態を保持している。前記リンク状態は、ＬＥＤの点灯／消灯で外部に表示されるとともに、前記マイクロプロセッサ１１１から参照することができる。前記揮発性メモリ１１３は、前記リンク状態を保存するものである。
【００２４】
前記複数個のＬＡＮポート１１５ａ，１１５ｂ，・・・１１５ｍ，１１５ｎは、それぞれ前記スイッチコントローラ１１４に接続されている。
【００２５】
なお、図１において、多数の接続線のうち、ＬＡＮ回線は太線で表示してある。
【００２６】
また、図１において、観測局１ａが、監視制御対象との間で監視制御情報を通信して監視制御を行う監視制御コントローラ１２を有している。また、この観測局１ａは請求項における監視制御局に相当する。
観測局１ｂ，・・・１ｎも、内部構成は図示してないが上記観測局１ａと同じである。
【００２７】
また、図１において、監視局２は、複数の観測局１ａ，１ｂ，・・・１ｎを監視制御するものである。
【００２８】
次に前記ＬＡＮスイッチ装置１１の動作について説明する。
【００２９】
図１において、前記マイクロプロセッサ１１１は、定周期で前記スイッチコントローラ１１４から前記リンク状態を監視する。前記マイクロプロセッサ１１１は、前記スイッチコントローラ１１４から前記リンク状態を最初に参照した時に、前記各ＬＡＮポート１１５ａ，１１５ｂ，・・・１１５ｍ，１１５ｎのＬＡＮポート番号毎のリンク状態を前記揮発性メモリ１１３に保存し、以後、定周期監視の度に、この状態を更新する。
【００３０】
ＬＡＮ通信で定周期監視を行う場合には、ＬＡＮ通信負荷や装置の処理負荷が増大することを抑えるため、通常は数十秒から数分に１回程度の周期にせざるを得なかったのに対して、本実施の形態１のようにＬＡＮスイッチ装置１１内でリンク状態監視処理を行う構成にすれば１秒〜数十ミリ秒程度の周期としてもシステム性能への影響は少なく、しかも接続される装置とのリンク状態の異常発生を早く検知することができる。
【００３１】
以下、ＬＡＮスイッチ装置１１内における、ＬＡＮのリンク状態監視の定周期起動処理動作（ステップＳＴ１）を、フローチャートである図２により説明する。
【００３２】
まず、ＬＡＮポート１１５ａ，１１５ｂ，・・・１１５ｍ，１１５ｎの各々のリンク状態をスイッチコントローラ１１４から参照する（ステップＳＴ１−１）。
【００３３】
次に、ＬＡＮポート１１５ａ，１１５ｂ，・・・１１５ｍ，１１５ｎの各々の前回のリンク状態が揮発性メモリ１１３に保存されているので、この保存されている前回のリンク状態と今回のリンク状態とで状態変化がないか前回のリンク状態と今回のリンク状態とを比較する（ステップＳＴ１−２）。
【００３４】
前記ステップＳＴ１−２での前記比較の結果、状態変化がなければ（ステップＳＴ１−３）、今回のリンク状態を揮発性メモリ１１３に上書き保存し（ステップＳＴ１−５）、このステップＳＴ１−５での前記上書保存後に終了する（ステップＳＴ１−６）。
【００３５】
前記ステップＳＴ１−２での前記比較の結果、状態変化があれば（ステップＳＴ１−３）、状態変化情報を予め設定された対応装置のＩＰアドレスに通知する（ステップＳＴ１−４）。  この通知には、ＩＰ上のプロトコルスタックである、ＵＤＰ（Ｕｓｅｒ  Ｄａｔａｇｒａｍ  Ｐｒｏｔｏｃｏｌ）またはＴＣＰ（Ｔｒａｎｓｍｉｓｓｉｏｎ  Ｃｏｎｔｒｏｌ  Ｐｒｏｔｏｃｏｌ）を用いる。
【００３６】
前記ステップＳＴ１−４での通知処理後は、前述の状態変化なしの場合と同様に、今回のリンク状態を揮発性メモリ１１３に上書き保存し（ステップＳＴ１−５）、このステップＳＴ１−５での前記上書保存後に終了する（ステップＳＴ１−６）。
【００３７】
次いで、監視制御システムにおける各装置間の動作シーケンス、特に通信制御装置１３に異常が発生しＬＡＮ通信不可となった場合の異常通知処理シーケンスの事例を図３によって説明する。
【００３８】
通信制御装置１３ａは、軽度の異常であれば異常発生したことを自装置でＬＡＮ通信により通知することができるが、ＬＡＮ通信できないような重故障が発生した場合（ステップＳＴ３−１）には、自装置をリセット（ステップＳＴ３−２）または停止する。
【００３９】
一方、ＬＡＮスイッチ装置１１では、図２で説明したようにＬＡＮスイッチ装置１１のマイクロプロセッサ１１１からスイッチコントローラ１１４に対して定周期でリンク状態参照を行っているが、前記ステップＳＴ３−２での前記通信制御装置１３ａのリセットと同時に、この通信制御装置１３ａと接続しているＬＡＮスイッチ装置１１のＬＡＮポート１１５ａがリンク断状態となる（ステップＳＴ３−３）。
【００４０】
前記ステップＳＴ３−３でＬＡＮポート１１５ａがリンク断状態となった直後の前記リンク状態参照時に、ＬＡＮスイッチ装置１１のマイクロプロセッサ１１１は、リンク異常発生を検出し（ステップＳＴ３−４）、直ちに、観測局１ａの監視制御コントローラ１２に対してリンク異常発生通知（ステップＳＴ３−５）を送信する。
【００４１】
観測局１ａの監視制御コントローラ１２はこのリンク異常発生通知を受信すると、監視局２の監視制御サーバ２１に対して、このリンク異常発生通知を転送する（ＳＴ３−６）。
【００４２】
通信制御装置１３ｂ（図示省略），・・・１３ｎにおいても前記通信制御装置１３ａと同様にＬＡＮ通信できないような重故障が発生した場合には、対応する観測局１ｂ，・・・１ｎの監視制御コントローラはリンク異常発生通知を受信し、監視局２の監視制御サーバ２１に対して、当該リンク異常発生通知を転送する。
【００４３】
なお、前記リンク異常復旧時にも、前記リンク異常発生時と同等の機能により、対応する観測局の監視制御コントローラはリンク異常復旧通知を受信し、監視局２の監視制御サーバ２１に対して、当該リンク異常復旧通知を転送する。
【００４４】
以上のように、この発明の実施の形態１では、ＬＡＮスイッチ装置１１に、各監視対象にリンクした各ＬＡＮポートを介して得た監視対象のリンク状態情報を使うリンク状態監視機能を備え、当該リンク状態監視機能により監視対象のリンク状態監視をＬＡＮスイッチ装置１１で行い、リンク異常の発生時には直ちに観測局の監視制御コントローラ１２を経由して監視局の監視制御サーバ２１にリンク異常を通知するようにしたので、通信制御装置１３ａ，・・・１３ｎの故障他のリンク異常を素早く検知することができる。
【００４５】
実施の形態２．
以下、この発明の実施の形態２を、ＬＡＮスイッチ装置の内部動作、特にＬＡＮのリンク状態監視の定周期起動処理動作をフローチャートで例示する図４によって説明する。
【００４６】
前述のように、この発明の実施の形態１により、監視対象側にリンク異常が発生したことをＬＡＮスイッチ装置からリアルタイムに監視局に通知することができるが、実際に当該通知で得られる情報は、故障した監視対象装置自身の情報ではなく、異常の発生した監視対象装置に対応するＬＡＮスイッチ装置のＬＡＮポートのポート位置情報（番号）であるので、通知のあったＬＡＮポートに繋がっている装置が何であるかは、別途接続図などで確認するか直接現場へ見に行く必要が生じる。また、ＬＡＮスイッチ装置ではどのポート位置に接続しても同じ通信機能が実現できるため、運用、保守作業を経ると当初の接続位置とは異なるポートに接続されている可能性がある。
【００４７】
これに対し、この発明の実施の形態２は、各ＬＡＮポートに繋がっている監視対象装置を容易に特定できる手段を講じたものである。
【００４８】
ＬＡＮスイッチ装置では一般に、フィルタリング機能を実現するため、送信されるパケットからＭＡＣアドレスをＬＡＮポート別に自動的に学習し、アドレステーブルに保持する機能を持たせたものがある。この機能はスイッチコントローラに実装されるが、このアドレステーブルをＬＡＮスイッチ装置のマイクロプロセッサから必要時に参照することにより、特定のポートとそのポートに繋がる装置のアドレス情報を紐付けすることができる。
【００４９】
図４において、前述のこの発明の実施の形態１と異なる処理を太枠で示す。この処理は前述のこの発明の実施の形態１と同様に定周期起動されるものとする。
前記リンク状態に状態変化がない（ステップＳＴ１−３）場合の処理は前述のこの発明の実施の形態１と同じである。
【００５０】
前記リンク状態が状態変化あり（ステップＳＴ１−３）の場合は、マイクロプロセッサ１１１は前記リンク状態変化のあったＬＡＮポートについてスイッチコントローラ１１４からアドレステーブルを参照し、状態変化のあった監視対象装置のＭＡＣアドレス情報を取得する（ステップＳＴ１−３４）。ＭＡＣアドレス情報を取得したマイクロプロセッサ１１１は、前記リンク状態の状態変化情報を通知する（ステップＳＴ１−４）際に、状態変化のあった監視対象装置に対応するＬＡＮポートのポート位置情報にＭＡＣアドレス情報を付加してこれら両情報を監視制御コントローラ１２に送信する。
【００５１】
監視制御コントローラ１２は、前記リンク状態の異常発生時以前に通信制御装置１３ａ，・・・１３ｎとＬＡＮ通信しているため、ＡＲＰ（Ａｄｄｒｅｓｓ  Ｒｅｓｏｌｕｔｉｏｎ  Ｐｒｏｔｏｃｏｌ）テーブルにＭＡＣアドレスとＩＰアドレスの対応付け情報を保持している。マイクロプロセッサ１１１は、このＡＲＰテーブルを参照することにより、ＬＡＮスイッチ装置１１から受信した、監視対象装置の通信制御装置のＭＡＣアドレス情報を対応するＩＰアドレスに変換する。マイクロプロセッサ１１１は、この変換したＩＰアドレス情報を、受信した情報に付加して監視局２の監視制御サーバ２１に送信する。
【００５２】
このようにすることにより、監視局２の監視制御サーバ２１では切断状態にある通信制御装置１３を、前記変換したＩＰアドレス情報から特定することが可能となる。
【００５３】
以上のように、この発明の実施の形態２では、監視制御対象の通信制御装置の、ＬＡＮスイッチ装置のＬＡＮポートとのリンク状態の異常通知を送信する際に、ＬＡＮスイッチ装置ではＬＡＮポートのポート位置情報に対応監視対象装置の通信制御装置のＭＡＣアドレス情報を付加するように構成するとともに、監視制御コントローラではＬＡＮポートのポート位置情報に対応のＭＡＣアドレスに対応するＩＰアドレス情報を付加するように構成したので、監視局では切断状態にある通信制御装置をＩＰアドレスから容易に特定することが可能になり、保守作業への対応が容易になる。
【００５４】
実施の形態３．
以下、この発明の実施の形態２を、ＬＡＮスイッチ装置の内部動作、特にＬＡＮのリンク状態監視の定周期起動処理動作をフローチャートで例示する図５により説明する。
【００５５】
前述のこの発明の実施の形態１および２により、監視対象装置とＬＡＮスイッチ装置のＬＡＮポートとのリンクに異常が発生したことをリアルタイムに監視局２に通知することができるが、保守作業の際には任意の装置の回線を切断したり装置電源を切ったりする場合があるため、このような場合には、前述のような監視機能が動作していると不必要に異常発生・復旧の通知が連続的に行われる。監視局２ではこうした正常動作ではない不要な異常情報が履歴として残ることにより不都合が生じる場合があるので、保守作業時には不要な異常通知はしない方が望ましい。
【００５６】
そこで、この発明の実施の形態３ではＬＡＮスイッチ装置のディップスイッチ（ＤＩＰ  ｓｗｉｔｃｈ（Ｄｕａｌ  Ｉｎ−ｌｉｎｅ  Ｐａｃｋａｇｅ  ｓｗｉｔｃｈ））の１つを運用中／保守中のモード切替に割り当てるようにしてある。
【００５７】
図５において、前述の実施の形態１および２と異なる処理を太枠で示す。この処理は実施の形態１・２と同様に定周期起動されるものとする。
【００５８】
図５において、定周期起動処理が起動すると（ステップＳＴ１）、まずモード切替のディップスイッチ状態を参照する（ステップＳＴ１−０１）。
【００５９】
モード切替設定が、監視制御システムおよび監視対象装置の運用中の場合は、以後、図４のフローチャートと同様にステップＳＴ１−１〜ＳＴ１−６の処理を行う。
【００６０】
モード切替設定が、監視制御システムおよび監視対象装置の保守中の場合は、１回の処理を終了する（ＳＴ１−６）。
【００６１】
このように、定周期起動処理の先頭でモード切替設定を参照するため、ＬＡＮスイッチ装置をリセットすることなくオンラインで運用中から保守中に切り替えることができ、スイッチ切替した時点から異常通知を行わないようにすることができる。また、ＬＡＮリンク状態は保守中に切替える直前の時点の状態が保持されたままであるので、保守中から運用中に戻したときには、切替直前の状態からＬＡＮリンク状態監視処理を再開することができる。
【００６２】
以上のようにこの発明の実施の形態３では、ＬＡＮスイッチ装置のディップスイッチの１つをモード切替に割り当て、ＬＡＮリンク状態監視定周期起動処理の先頭でモード切替設定を参照するように構成したので、不要な異常通知を監視局に送信することなく、オンラインで保守作業を実施することができる。
【００６３】
実施の形態４．
以下、この発明の実施の形態４を、図６〜図８によって説明する。図６はＬＡＮスイッチ装置の通知先ＩＰアドレステーブルの事例を示す図、図７はＬＡＮスイッチ装置の内部動作、特にＬＡＮのリンク状態監視の定周期起動処理動作をフローチャートで例示する図、図８は監視制御コントローラ１２に故障が発生しＬＡＮ通信不可となった場合の異常通知処理シーケンス図である。
【００６４】
前述の実施の形態１〜３では通信制御装置１３ａ，・・・１３ｎ側の故障、リンク異常の場合を想定したが、ここでは監視制御コントローラ１２に故障が発生した場合について考慮する。
【００６５】
監視制御コントローラ１２がＬＡＮ通信不可となる故障状態に陥った場合も、監視制御サーバ２１から見れば、同じように通信制御装置１３ａ，・・・１３ｎの制御が不可となる。もし監視制御サーバ２１から通信制御装置１３ａ，・・・１３ｎに対するリモート制御処理を実行中に通信不可となった場合、制御不能となるので、これを防ぐためには、通信制御装置１３ａ，・・・１３ｎにて異常を検知し、自動的に制御を中止し安全な状態に回復させる必要がある。
【００６６】
そこで実施の形態４では、異常の発生したＬＡＮポート番号毎に通知先を設定できる通知先ＩＰアドレステーブルをＬＡＮスイッチ装置１１の不揮発性メモリ上１１２に設けてある。
【００６７】
図６に例示してあるように、通知先ＩＰアドレステーブルには、ＬＡＮポート毎に通知先ＩＰアドレスを事前に設定しておく。
【００６８】
また、ここでは参考のために通知先装置、例えば全通信制御装置，監視制御コントローラ等、を合わせて記載している。
【００６９】
また、この例では、ＬＡＮポート＃１（１１５ａ）に監視制御コントローラ１２を接続し、その他のＬＡＮポート＃２（１１５ｂ），＃３，＃４，・・・＃ｎには通信制御装置１３を接続しているものとする。
【００７０】
またこの例では、ネットワークアドレスを１９２．１６８．１．０／２４とし、監視制御コントローラ１２のＩＰアドレスを１９２．１６８．１．１０とする。
【００７１】
監視制御コントローラ１２に対応しているＬＡＮポート＃１（１１５ａ）のリンク状態に異常発生した場合は、全ての通信制御装置１３ａ，・・・１３ｎに通知するため、ブロードキャストアドレスとして１９２．１６８．１．２５５を設定する。各監視対象装置に対応しているその他のＬＡＮポート＃２（１１５ｂ），＃３，＃４，・・・＃Ｎのリンク状態に異常発生した場合は、実施の形態１〜３と同様であるので監視制御コントローラ１２のアドレス１９２．１６８．１．１０を設定する。
【００７２】
本実施の形態４におけるＬＡＮリンク状態監視定周期起動処理のフローチャートである図７において、前述の実施の形態１〜３と異なる処理を太枠で示す。この処理は実施の形態１〜３と同様に定周期起動されるものとする。
【００７３】
図７において、切替モードが保守中の場合や、リンク状態の変化がない場合の処理は実施の形態１〜３と同様である。
【００７４】
リンク状態に変化があった場合（ステップＳＴ１−３）は、各ＬＡＮポート１１５ａ，１１５ｂ，・・・１１５ｍ，１１５ｎに接続している監視対象装置のアドレス情報を参照し（ステップＳＴ１−３４）、次に、不揮発性メモリ上１１２上の通知先ＩＰアドレステーブルを参照して（ステップＳＴ１−３４１）、該当するＬＡＮポート（リンク状態に変化があったＬＡＮポート）に対応の通知先ＩＰアドレス宛に状態変化情報を通知する（ステップＳＴ１−３４２）。ここでＬＡＮポート＃１（１１５ａ）の場合は、ブロードキャストアドレス192.168.1.255が設定されているので、ＬＡＮスイッチ装置１１に接続された、ブロードキャストドメイン内の全装置（例えば全通信制御装置１３ａ，・・・１３ｎ）で受信することになる。
【００７５】
次に、監視制御コントローラ１２に故障が発生しＬＡＮ通信不可となった場合の異常通知処理シーケンス図８において、監視制御コントローラ１２は、軽度の異常であれば自装置で異常発生したことをＬＡＮ通信で通知することができるが、ＬＡＮ通信できないような重故障が発生した場合（ステップＳＴ８−１）には、自装置をリセットまたは停止する（ステップＳＴ８−２）。
【００７６】
ＬＡＮスイッチ装置１１では、監視制御コントローラ１２のリセット（ステップＳＴ８−２）と同時に、この装置（監視制御コントローラ１２）と接続しているＬＡＮスイッチ装置のＬＡＮポート１１５ａがリンク断状態となる（ステップＳＴ８−３）。
【００７７】
ＬＡＮポート１１５ａがリンク断状態となった直後のＬＡＮスイッチ装置１１のマイクロプロセッサ１１１によるリンク状態参照時に、該マイクロプロセッサ１１１はリンク異常発生を検出する（ステップＳＴ８−４）。
【００７８】
ここで図７のステップＳＴ１−３４１で示したように、通知先ＩＰアドレステーブルを参照したところリンク異常がＬＡＮポート１１５ａであることからアドレスはブロードキャストアドレスであるので、直ちにリンク異常発生通知（ステップＳＴ８−５）をブロードキャスト送信する。
【００７９】
一方、通信制御装置１３ａ，・・・１３ｎは事前に、ＬＡＮスイッチ装置１１からの通知を受信するため、特定のＵＤＰ（Ｕｓｅｒ  Ｄａｔａｇｒａｍ  Ｐｒｏｔｏｃｏｌ）ポート番号で受信待ちをしている。この通知を受信すると、通信制御装置１３ａ，・・・１３ｎは制御処理を中止し、予め定めた安全な状態で停止する。なお、この通知はＵＤＰの特定のポート番号を宛先として送信するため、ブロードキャストドメイン内に別の装置が接続されている場合でも、対象のＵＤＰポートを開いていない場合は受信しない。
【００８０】
以上のように、この発明の実施の形態４では、監視制御コントローラ１２がＬＡＮ通信不可となる故障状態に陥った場合でも、ＬＡＮスイッチ装置に通知先ＩＰアドレステーブルを設定し、監視制御コントローラが接続するＬＡＮポートに異常を検知した場合は直ちにブロードキャスト送信により異常通知を送信し、また通信制御装置は左記ブロードキャスト通知を受信した場合には制御処理を中止し、自動的に予め定めた安全な状態で停止するように装置を構成したので、監視局からのリモート制御処理中に異常が発生した場合でも安全な状態にシステムを移行することができる。
【００８１】
実施の形態５．
以下、この発明の実施の形態５を図９〜図１１によって説明する。図９は監視制御システムの内部構成の事例を示す図であり、その（ａ）は監視制御システムおよびそのＬＡＮスイッチ装置の全体図、（ｂ）は監視制御コントローラの内部構成の事例を示す図、（ｃ）は通信制御装置の内部構成の事例を示す図である。図１０は監視制御コントローラの内部動作、特に監視制御コントローラのＬＡＮリンク状態監視定周期起動処理をフローチャートで例示する図、図１１は通信制御装置の内部動作、特に通信制御装置のＬＡＮリンク状態監視定周期起動処理をフローチャートで例示する図である。
【００８２】
本実施の形態５では、ＬＡＮスイッチ装置１１が故障停止した場合を想定する。ＬＡＮスイッチ装置が故障すると、ＬＡＮスイッチ装置に接続する全ての装置間で通信不可となるため、実施の形態４で想定したのと同様に通信制御装置への制御が不能となる。
またＬＡＮスイッチ装置が故障すると、実施の形態１〜４のようにＬＡＮスイッチ装置から通知を送信することができない。
本実施の形態５ではこのような課題に対処し、監視制御コントローラ及び通信制御装置にて、マイクロプロセッサがＬＡＮコントローラからＬＡＮリンク状態を定周期に監視することにより、ＬＡＮスイッチ装置の故障を各装置にてリアルタイムに検出することを特徴とするものである。
【００８３】
図９（ａ）（ｂ）（ｃ）において、監視制御コントローラ１２は、マイクロプロセッサ１１１、不揮発性メモリ１１２、揮発性メモリ１１３、ＬＡＮコントローラ１２１ａ、ＬＡＮコントローラ１２１ｂ、ＬＡＮポート１１５ａおよびＬＡＮポート１１５ｂを備えている。
通信制御装置１３ａ，・・・１３ｎは何れも、マイクロプロセッサ１１１、不揮発性メモリ１１２、揮発性メモリ１１３、ＬＡＮコントローラ１２１およびＬＡＮポート１１５を備えている。
【００８４】
前記監視制御コントローラ１２および前記通信制御装置１３ａ，・・・１３ｎにおける前記マイクロプロセッサ１１１、前記不揮発性メモリ１１２、前記揮発性メモリ１１３、前記ＬＡＮポート１１５−１２１，１５−１２２，１１５−１３は、前述の図１における前記マイクロプロセッサ１１１、前記不揮発性メモリ１１２、前記揮発性メモリ１１３、ＬＡＮポート１１５ａ，１１５ｂ，・・・１１５ｍ，１１５ｎと同様の機能を有している。
【００８５】
前記監視制御コントローラ１２ではＬＡＮスイッチ装置１１とルータ３の両方に接続するため、ＬＡＮコントローラとＬＡＮポートが２個ずつあるが、通信制御装置１３ａ，・・・１３ｎではＬＡＮスイッチ装置１１に接続するＬＡＮコントローラとＬＡＮポートを各１個としてある。
【００８６】
なお、図９において、多数の接続線のうち、ＬＡＮ回線は太線で表示してある。
【００８７】
次に監視制御コントローラ１２のＬＡＮリンク状態監視定周期起動処理をフローチャートで例示する図１０によって説明する。
【００８８】
図１０において、実施の形態１におけるＬＡＮスイッチ装置の定周期起動処理と同様に、ＬＡＮポートのリンク状態を参照して（ステップＳＴ１−１）、前回リンク状態との比較を行う（ステップＳＴ１−２）。
状態変化ありの場合（ステップＳＴ１−３）は、装置種別に応じた処理を行う（ステップＳＴ１−３５１２）。即ち、ＬＡＮスイッチ装置１１とのリンク状態に異常が発生したことを検知し監視局２の監視制御サーバ２１にＩＰネットワーク４を介して通知する。
【００８９】
次に通信制御装置１３ａ，・・・１３ｎのＬＡＮリンク状態監視定周期起動処理をフローチャートで例示する図１１によって説明する。
【００９０】
図１１において、実施の形態１におけるＬＡＮスイッチ装置の定周期起動処理と同様に、ＬＡＮポートのリンク状態を参照して（ステップＳＴ１−１）、前回リンク状態との比較を行う（ステップＳＴ１−２）。
【００９１】
状態変化ありの場合（ステップＳＴ１−３）は、前述の実施の形態４でＬＡＮスイッチ装置１１からリンク状態異常の通知を受信した場合と同様に、各通信制御装置１３ａ，・・・１３ｎは、対応既設装置１４ａ，・・・１４ｎに対する制御処理を中止し、予め定めた安全な状態で停止する。
【００９２】
以上のように本実施の形態５では、監視制御コントローラ及び通信制御装置にて、マイクロプロセッサがＬＡＮコントローラからＬＡＮリンク状態を定周期に監視することにより、ＬＡＮスイッチ装置の故障を各装置にてリアルタイムに検出するように構成したので、ＬＡＮスイッチ装置がＬＡＮ通信不可となる故障状態に陥った場合でも監視制御サーバに通知するとともに、通信制御装置は制御処理を中止し、自動的に予め定めた安全な状態で停止するように動作することにより、監視制御サーバからのリモート制御処理中にＬＡＮスイッチ装置に異常が発生した場合でも安全な状態にシステムを移行することができる。
【００９３】
なお、図１〜図１２において、同一符合は同一または相当部分を示す。
【００９４】
この発明の実施の形態１〜５は、前述のように、概念的には以下の特徴を有している。
【００９５】
特徴点１：ＬＡＮポートのリンク状態が変化した場合に予め設定された装置にリンク状態変化のあったＬＡＮポート番号情報をＬＡＮ通信で通知するよう構成することを特徴としたＬＡＮスイッチ装置と、左記の通知を受信して、通知内容に応じた処理を行うことを特徴とした監視制御コントローラ装置を備えた、監視対象となる観測局の装置間をＬＡＮスイッチで接続するよう構成された監視制御システムである。
【００９６】
特徴点２：特徴点１において、ＬＡＮリンク状態変化を検知した場合に、自装置内で管理しているアドレステーブルから当該ＬＡＮポートに接続する装置のＭＡＣアドレスを参照し、ＬＡＮポート番号情報とともに接続されていた装置のＭＡＣアドレス情報をＬＡＮ通信で通知することを特徴としたＬＡＮスイッチ装置と、左記通知を受信した場合に、ＡＲＰテーブルを参照することによりＭＡＣアドレスからＩＰアドレスへの対応付けを行った上で、受信した情報にＩＰアドレス情報を付加して監視局に通知をＬＡＮ送信することを特徴とする監視制御コントローラ装置である。
【００９７】
特徴点３：特徴点１または特徴点２において、ＬＡＮスイッチに運用／保守モード切替用のディップスイッチを備え、保守モード設定時にはＬＡＮリンク状態変化を検知しないように構成することを特徴としたＬＡＮスイッチ装置。
【００９８】
特徴点４：特徴点１〜特徴点３の何れか一において、ＬＡＮポート毎に異常発生した場合の通知先ＩＰアドレスを予め設定しておき、リンク状態変化発生時には当該ＬＡＮポートによって異なる装置に通知できるように構成することを特徴としたＬＡＮスイッチ装置と、ＬＡＮスイッチ装置からの通知を受信したら制御処理を中止し、予め定められた状態で待機するように構成することを特徴とする通信制御装置である。
【００９９】
特徴点５：特徴点１〜特徴点４の何れか一において、ＬＡＮスイッチに接続しているＬＡＮポートのリンク状態が変化した場合に監視局にＬＡＮ通信で通知するよう構成することを特徴とした監視制御コントローラ装置と、ＬＡＮスイッチに接続しているＬＡＮポートのリンク状態が変化した場合に制御処理を中止し、予め定められた状態で待機するように構成することを特徴とする通信制御装置である。
【０１００】
特徴点６：対応する監視制御対象と監視制御情報を通信する複数の通信制御装置とこれら各通信制御装置に対応するＬＡＮポートを有するＬＡＮスイッチ装置を介してＬＡＮ接続された監視制御コントローラと監視制御サーバとがＩＰネットワークを介して接続され、前記監視制御サーバにより前記ＩＰネットワークと前記監視制御コントローラと前記ＬＡＮと前記ＬＡＮスイッチ装置とを介して前記ＬＡＮスイッチ装置の前記各ＬＡＮポートとその対応前記通信制御装置との間のリンク情報の状態を監視する監視制御方式であって、前記ＬＡＮスイッチ装置に前記各ＬＡＮポートとその対応前記通信制御装置との間のリンク情報の異常を検知するマイクロプロセッサが設けられ、このマイクロプロセッサにより生成された前記各ＬＡＮポートとその対応前記通信制御装置との間のリンク情報の異常検知情報が前記監視制御コントローラおよび前記ＩＰネットワークを介して前記監視制御サーバに伝送される監視制御方式である。
【０１０１】
特徴点７：対応する監視制御対象と監視制御情報を通信する複数の通信制御装置とこれら各通信制御装置に対応するＬＡＮポートを有するＬＡＮスイッチ装置と、前記複数の通信制御装置と前記ＬＡＮスイッチ装置を介してＬＡＮ接続された監視制御コントローラとを備えた監視制御システムであって、前記ＬＡＮスイッチ装置に前記各ＬＡＮポートとその対応前記通信制御装置との間のリンク情報の異常を検知するマイクロプロセッサが設けられ、このマイクロプロセッサにより生成された前記各ＬＡＮポートとその対応前記通信制御装置との間のリンク情報の異常検知情報が前記監視制御コントローラに通知される監視制御システムである。
【０１０２】
特徴点８：特徴点７に記載の監視制御システムにおいて、前記ＬＡＮスイッチ装置は、前記各通信制御装置のＭＡＣアドレスと前記各ＬＡＮポートのＬＡＮポート番号との対応付けをするアドレステーブルを有し、前記アドレステーブル基づいて対応通信制御装置のＭＡＣアドレスと対応ＬＡＮポートのＬＡＮポート番号と前記異常検知情報とが関連付けられることを特徴とする監視制御システムである。
【０１０３】
特徴点９：特徴点８に記載の監視制御システムにおいて、前記監視制御コントローラは、前記ＭＡＣアドレスとＩＰアドレスとの対応付けをするＡＲＰテーブルを有し、前記ＭＡＣアドレスが前記ＡＲＰテーブルに基づく前記ＩＰアドレスに変換されることを特徴とする監視制御システムである。
【０１０４】
特徴点10：特徴点７〜９の何れか一に記載の監視制御システムにおいて、前記ＬＡＮスイッチ装置に運用／保守モード切替用のディップスイッチを備え、前記ディップスイッチが前記運用モードに設定された場合は前記異常検知が実行され、前記ディップスイッチが前記保守モードに設定された場合は前記異常検知の実行が停止されることを特徴とする監視制御システムである。
【０１０５】
特徴点11：特徴点７〜10の何れか一に記載の監視制御システムにおいて、前記ＬＡＮスイッチ装置と前記監視制御コントローラとの間のリンク情報により前記監視制御コントローラの異常が検知されると、当該異常検知情報が前記各ＬＡＮポートに対応の前記通信制御装置に通知され、当該通知を受信した通信制御装置は対応監視制御対象に対する制御処理を中止し、予め定められた状態で待機することを特徴とする監視制御システムである。
【０１０６】
特徴点12：特徴点７〜11の何れか一に記載の監視制御システムにおいて、前記ＬＡＮスイッチ装置と前記監視制御コントローラとの間のリンク情報により前記ＬＡＮスイッチ装置の異常が前記監視制御コントローラにより検知され、前記ＬＡＮスイッチ装置と前記各通信制御装置との間のリンク情報により前記ＬＡＮスイッチ装置の異常が検知されると通信制御装置は対応監視制御対象に対する制御処理を中止し予め定められた状態で待機することを特徴とする監視制御システムである。
【０１０７】
特徴点13：特徴点８に記載のＬＡＮスイッチ装置であって、前記各通信制御装置のＭＡＣアドレスと前記各ＬＡＮポートのＬＡＮポート番号との対応付けをするアドレステーブルを有しているＬＡＮスイッチ装置である。
【０１０８】
特徴点14：特徴点９に記載の監視制御コントローラであって、前記ＭＡＣアドレスとＩＰアドレスとの対応付けをするＡＲＰテーブルを有している監視制御コントローラである。
【０１０９】
特徴点15：特徴点11に記載の通信制御装置であって、前記監視制御コントローラの異常が検出されると前記各通信制御装置は対応監視制御対象に対する制御処理を中止し、予め定められた状態で待機する通信制御装置である。
【０１１０】
特徴点15：特徴点12に記載の通信制御装置であって、前記ＬＡＮスイッチ装置の異常が検出されると前記各通信制御装置は対応監視制御対象に対する制御処理を中止し、予め定められた状態で待機する通信制御装置である。
【０１１１】
特徴点16：ＬＡＮスイッチ装置にリンク状態監視機能を持たせ、異常の発生時や復旧時には直ちに監視制御コントローラを経由して監視制御サーバに異常通知するように装置を構成したので、通信制御装置の故障を素早く検知することができる。
【０１１２】
特徴点17：異常通知を送信する際にＬＡＮスイッチ装置ではポート位置情報とともにＭＡＣアドレス情報を付加するように構成するとともに、監視制御コントローラではＭＡＣアドレスに対応するＩＰアドレス情報を付加するように構成したので、通信不可状態の通信制御装置を監視局で簡単に特定することが可能になり、保守作業への対応が容易になる。
【０１１３】
特徴点18：ＬＡＮスイッチ装置のディップスイッチの１つを運用中／保守中のモード切替設定に割り当て、このモード切替設定を参照して、運用中の場合に限ってリンク状態を監視するように構成したので、保守作業中に不要な異常通知を監視局に送信することがなくなり、オンラインで保守作業を実施することができる。
【０１１４】
特徴点19：監視制御コントローラがＬＡＮ通信不可となる故障状態に陥った場合でも、ＬＡＮポート毎に通知先ＩＰアドレスを設定し、監視制御コントローラが接続するＬＡＮポートに異常を検知した場合は直ちにブロードキャスト送信により異常通知を送信し、また通信制御装置は左記ブロードキャスト通知を受信した場合には制御処理を中止し、自動的に予め定めた安全な状態で維持するように装置を構成したので、監視局からのリモート制御処理中に異常が発生した場合でも安全な状態にシステムを移行することができる。
【０１１５】
特徴点20：監視制御コントローラ及び通信制御装置にて、マイクロプロセッサがＬＡＮコントローラからＬＡＮリンク状態を定周期に監視することにより、ＬＡＮスイッチ装置の故障を各装置にてリアルタイムに検出するように構成したので、ＬＡＮスイッチ装置がＬＡＮ通信不可となる故障状態に陥った場合でも監視制御サーバに通知するとともに、通信制御装置は制御処理を中止し、自動的に予め定めた安全な状態で維持するように動作し、監視局からのリモート制御処理中にＬＡＮスイッチ装置に異常が発生した場合でも安全な状態にシステムを移行することができる。
【０１１６】
特徴点21：ＬＡＮで観測局のデータ伝送システムを構成した場合でもＬＡＮ通信の異常発生を早く検知でき、また、ＬＡＮの異常発生検出箇所から、通信不可状態にある監視制御対象装置を容易に特定でき、また、オンライン中での保守作業時には異常検知を行わないようにすることにより、保守性・可用性の高い監視制御システムを得ることができ、また、監視制御コントローラやＬＡＮスイッチ装置に異常が発生した場合でも自動的に安全な状態にシステムを移行することができる。
【０１１７】
特徴点22：対応する監視制御対象と監視制御情報を通信する通信制御装置と、前記通信制御装置が接続するＬＡＮポートを有し、前記ＬＡＮポートと前記通信制御装置との間のリンク情報の異常を検知するＬＡＮスイッチ装置と、前記ＬＡＮスイッチ装置のＬＡＮポートに接続され、前記ＬＡＮスイッチ装置が検知した前記リンク情報の異常検知情報が通知される監視制御コントローラとを備えた観測局である。
【０１１８】
特徴点23：特徴点22に記載の観測局であって、前記ＬＡＮスイッチ装置は、ＬＡＮポート番号と前記ＬＡＮポートに接続された前記通信制御装置のＭＡＣアドレスとを対応付けるアドレステーブルを有し、前記アドレステーブルを参照して異常を検出した前記ＬＡＮポートに接続する前記通信制御装置のＭＡＣアドレスを前記異常検知情報に付加する観測局である。
【０１１９】
特徴点24：特徴点23に記載の観測局であって、前記監視制御コントローラは、前記通信制御装置のＭＡＣアドレスとＩＰアドレスとを対応付けるＡＲＰテーブルを有する観測局である。
【０１２０】
特徴点25：特徴点22〜特徴点24の何れか一に記載の観測局であって、前記ＬＡＮスイッチ装置は、前記異常検知情報を通知する運用モードと、前記異常検知情報を通知しない保守モードとを切替えて動作する観測局である。
【０１２１】
特徴点26：特徴点22〜特徴点25の何れか一に記載の観測局であって、前記ＬＡＮスイッチ装置は、前記ＬＡＮポートと前記監視制御コントローラとの間のリンク情報の異常を検知して、前記通信制御装置に異常検知情報を通知し、前記異常検知情報を通知された前記通信制御装置は、対応する監視制御対象に対する制御処理を停止し、予め定められた状態で待機する観測局である。
【０１２２】
特徴点27：特徴点22〜特徴点26の何れか一に記載の観測局であって、前記監視制御コントローラは、前記ＬＡＮスイッチ装置と前記監視制御コントローラとの間のリンク情報の異常を検知する観測局である。
【０１２３】
特徴点28：特徴点22〜特徴点27の何れか一に記載の観測局であって、前記通信制御装置は、前記ＬＡＮスイッチ装置と前記通信制御装置との間のリンク情報の異常を検知し、異常を検知した場合は、対応する監視制御対象に対する制御処理を停止し、予め定められた状態で待機する観測局である。
【０１２４】
特徴点29：特徴点22〜特徴点28の何れか一に記載の観測局と、前記観測局とＩＰネットワークを介して接続される監視制御サーバとを備えた監視制御システムである。
【０１２５】
特徴点30：対応する監視制御対象と監視制御情報を通信する通信制御装置とＬＡＮスイッチ装置を介してＬＡＮ接続する監視制御コントローラであって、前記ＬＡＮスイッチ装置との間のリンク情報の異常を検知する監視制御コントローラである。
【０１２６】
特徴点31：対応する監視制御対象と監視制御情報を通信し、監視制御を行う監視制御コントローラとＬＡＮスイッチ装置を介してＬＡＮ接続する通信制御装置であって、前記ＬＡＮスイッチ装置との間のリンク情報の異常を検知し、異常を検知した場合は、対応する監視制御対象に対する制御処理を停止し、予め定められた状態で待機する通信制御装置である。
【０１２７】
特徴点32：複数のＬＡＮポートを備え、前記ＬＡＮポートに接続された装置との間のリンク情報の異常を検知し、何れかの前記ＬＡＮポートで異常を検知した場合に異常検知情報を所定の前記ＬＡＮポートに接続された装置に通知することを特徴とするＬＡＮスイッチ装置である。
【０１２８】
特徴点33：特徴点32に記載のＬＡＮスイッチ装置であって、前記ＬＡＮポートに接続された装置のＭＡＣアドレスと前記ＬＡＮポートのＬＡＮポート番号とを対応付けるアドレステーブルを備え、前記アドレステーブルを参照して異常を検出した前記ＬＡＮポートに接続する装置のＭＡＣアドレスを前記異常検知情報に付加するＬＡＮスイッチ装置である。
【図面の簡単な説明】
【０１２９】
【図１】この発明の実施の形態１〜５に共通に例示する監視制御システムおよびそのＬＡＮスイッチ装置の内部構成の事例を示す図である。
【図２】この発明の実施の形態１を示す図で、ＬＡＮスイッチ装置の内部動作、特にＬＡＮのリンク状態監視の定周期起動処理動作をフローチャートで例示する図である。
【図３】この発明の実施の形態１を示す図で、監視制御システムにおける各装置間の動作シーケンス、特に通信制御装置に異常が発生しＬＡＮ通信不可となった場合の異常通知処理シーケンスの事例を示す図である。
【図４】この発明の実施の形態２を示す図で、ＬＡＮスイッチ装置の内部動作、特にＬＡＮのリンク状態監視の定周期起動処理動作をフローチャートで例示する図ある。
【図５】この発明の実施の形態３を示す図で、ＬＡＮスイッチ装置の内部動作、特にＬＡＮのリンク状態監視の定周期起動処理動作をフローチャートで例示する図ある。
【図６】この発明の実施の形態４を示す図で、ＬＡＮスイッチ装置の通知先ＩＰアドレステーブルの事例を示す図である。
【図７】この発明の実施の形態４を示す図で、ＬＡＮスイッチ装置の内部動作、特にＬＡＮのリンク状態監視の定周期起動処理動作をフローチャートで例示する図ある。
【図８】この発明の実施の形態４を示す図で、監視制御システムにおける各装置間の動作シーケンス、特に監視制御コントローラに異常が発生しＬＡＮ通信不可となった場合の異常通知処理シーケンスの事例を示す図である。
【図９】この発明の実施の形態５を示す図で、監視制御システムの構成の事例を示す図であり、その（ａ）は監視制御システムおよびそのＬＡＮスイッチ装置の全体図、（ｂ）は監視制御コントローラの内部構成の事例を示す図、（ｃ）は通信制御装置の内部構成の事例を示す図である。
【図１０】この発明の実施の形態５を示す図で、監視制御コントローラの内部動作、特に監視制御コントローラのＬＡＮリンク状態監視定周期起動処理をフローチャートで例示する図である。
【図１１】この発明の実施の形態５を示す図で、通信制御装置の内部動作、特に通信制御装置のＬＡＮリンク状態監視定周期起動処理をフローチャートで例示する図である。
【図１２】アナログ回線で適用していた既設装置をＩＰネットワークに収容した監視制御システムの構成例を示す図で、最近の一般的なＬＡＮにおけるＬＡＮスイッチ装置やルータなど、高機能・高性能な中継装置を適用した事例を示す図である。
【符号の説明】
【０１３０】
１ａ，１ｂ，・・・１ｎ    観測局、
２    監視局、
３    ルータ、
４    ＩＰネットワーク、
１１    ＬＡＮスイッチ装置、
１２    監視制御コントローラ、
１３ａ，・・・１３ｎ    通信制御装置、
１４ａ，・・・１４ｎ    監視制御対象である既設装置、
１５ａ，・・・１５ｎ    アナログ回線、
１１１    マイクロプロセッサ、
１１２    不揮発性メモリ、
１１３    揮発性メモリ、
１１４    スイッチコントローラ、
１１５ａ，１１５ｂ，・・・１１５ｍ，１１５ｎ    ＬＡＮポート、
１１６    ディップスイッチ、
１２１，１２１ａ，１２１ｂ    ＬＡＮコントローラ。
【図１】
2008211578.tif 000003
【図２】
2008211578.tif 000004
【図３】
2008211578.tif 000005
【図４】
2008211578.tif 000006
【図５】
2008211578.tif 000007
【図６】
2008211578.tif 000008
【図７】
2008211578.tif 000009
【図８】
2008211578.tif 000010
【図９】
2008211578.tif 000011
【図１０】
2008211578.tif 000012
【図１１】
2008211578.tif 000013
【図１２】
2008211578.tif 000014